(57)【要約】【課題】処理すべきセグメントを検出して、処理すべきセグメントの再生データに対する誤り訂正を正しく行いオフトラック余裕を確保する。【解決手段】同時にトレースする４トラックのトラック毎に、トラックに対してトラック幅方向に位置をずらして２つの再生ヘッドを設け、１つのトラックに対して再生データＲＥａ−１，ＲＥａ−２を生成する。同様に、再生データＲＥｂ−１，ＲＥｂ−２，ＲＥｃ−１，ＲＥｃ−２，ＲＥｄ−１，ＲＥｄ−２を生成する。セグメント検出部７１は、再生データ毎にセグメント識別情報を抽出して、抽出したセグメント識別情報から目的のセグメントを検出し、目的のセグメントのセグメント識別情報ＳＩＤｇを訂正制御部７２に供給する。訂正制御部７２は、目的のセグメントと異なるセグメントの再生データを用いた誤り訂正がＣ２訂正処理部７３で行われないように、メモリ７２２に対する再生データの書き込みや読み出しを制御する。【選択図】        図７
2004310868.tif 000002
【特許請求の範囲】
【請求項１】
同時にトレースする複数トラックのトラック毎に、該トラックに対してトラック幅方向に位置をずらして設けられた複数の再生ヘッドと、
セグメント記録されたトラックを前記複数の再生ヘッドでトレースして、前記複数の再生ヘッドで読み出された再生データ毎にセグメント識別情報を抽出し、該抽出されたセグメント識別情報から目的のセグメントを検出するセグメント検出手段と、
前記再生データの誤り訂正を行う誤り訂正手段と、
前記目的のセグメントと異なるセグメントの再生データを用いて、前記誤り訂正手段で誤り訂正が行われないように制御する訂正制御手段とを有する
ことを特徴とする記録信号再生装置。
【請求項２】
前記セグメント検出手段は、抽出した前記セグメント識別情報をラッチして、その後抽出された前記セグメント識別情報との比較を前記再生データ毎に行い、一致回数が所定回数に達したときに前記ラッチしているセグメント識別情報で示されたセグメントを目的のセグメントとする
ことを特徴とする請求項１記載の記録信号再生装置。
【請求項３】
前記セグメント検出手段は、不一致回数に応じて、前記ラッチしているセグメント識別情報の更新を行う
ことを特徴とする請求項２記載の記録信号再生装置。
【請求項４】
前記セグメント検出手段は、前記再生データに対して優先順位を設定し、前記一致回数が所定回数に達したセグメント識別情報が複数得られたときには前記優先順位に従って１つのセグメント識別情報を選択し、該選択されたセグメント識別情報で示されたセグメントを目的のセグメントとする
することを特徴とする請求項２記載の記録信号再生装置。
【請求項５】
前記セグメント検出手段は、前記複数の再生ヘッドの中央側に位置する再生ヘッドで読み出された再生データの優先順位を高くする
ことを特徴とする請求項４記載の記録信号再生装置。
【請求項６】
前記訂正制御手段は、前記再生データのメモリへの書き込みや読み出しを制御して、前記目的のセグメントと異なるセグメントの再生データが前記誤り訂正手段に供給されないように制御する
ことを特徴とする請求項１記載の記録信号再生装置。
【請求項７】
同時にトレースする複数トラックのトラック毎に、該トラックに対してトラック幅方向に位置をずらして複数の再生ヘッドを設け、
セグメント記録されたトラックを前記複数の再生ヘッドでトレースし、前記複数の再生ヘッドで読み出された再生データ毎にセグメント識別情報を抽出して、該抽出されたセグメント識別情報から目的のセグメントを検出し、
前記再生データに対して誤り訂正を行う際に、前記目的のセグメントと異なるセグメントの再生データを用いて、前記誤り訂正が行われないように制御する
ことを特徴とする記録信号再生方法。
【請求項８】
抽出した前記セグメント識別情報をラッチして、その後抽出された前記セグメント識別情報との比較を前記再生データ毎に行い、一致回数が所定回数に達したときに前記ラッチしているセグメント識別情報で示されたセグメントを目的のセグメントとする
ことを特徴とする請求項７記載の記録信号再生方法。
【請求項９】
不一致回数に応じて、前記ラッチしているセグメント識別情報の更新を行う
ことを特徴とする請求項８記載の記録信号再生方法。
【請求項１０】
前記再生データに対して優先順位を設定し、前記一致回数が所定回数に達したセグメント識別情報が複数得られたときには前記優先順位に従って１つのセグメント識別情報を選択し、該選択されたセグメント識別情報で示されたセグメントを目的のセグメントとする
ことを特徴とする請求項８記載の記録信号再生方法。
【請求項１１】
前記複数の再生ヘッドの中央側に位置する再生ヘッドで読み出された再生データの優先順位を高くする
ことを特徴とする請求項１０記載の記録信号再生方法。
【請求項１２】
前記再生データのメモリへの書き込みや読み出しを制御して、前記目的のセグメントと異なるセグメントの再生データが誤り訂正に用いられないように制御する
ことを特徴とする請求項７記載の記録信号再生方法。
【発明の詳細な説明】
【０００１】
【発明の属する技術分野】
この発明は、記録信号再生装置および記録信号再生方法に関する。詳しくは、同時にトレースする複数トラックのトラック毎に、該トラックに対してトラック幅方向に位置をずらして複数の再生ヘッドを設け、セグメント記録されたトラックを複数の再生ヘッドでトレースし、複数の再生ヘッドで読み出された再生データからセグメント識別情報を抽出して目的のセグメントを検出し、再生データに対して誤り訂正を行う際に、目的のセグメントと異なるセグメントの再生データを用いて、誤り訂正が行われないように制御するものである。
【０００２】
【従来の技術】
従来の記録信号再生装置、例えば磁気テープに記録された信号を再生するディジタルビデオテープレコーダは、ディジタルビデオ信号に誤り訂正符号等を付加することで、記録再生を繰り返し行っても再生画像の画質劣化を未然に防止することができる。この反面、ディジタルビデオ信号を記録する場合、アナログビデオ信号を記録する場合に比して情報量が多くなる。このため、ディジタルビデオテープレコーダにおいては、例えば特許文献１に示されているように、セグメント記録の手法を適用してディジタルビデオ信号を記録することが行われている。
【０００３】
このセグメント記録は、例えば１フィールド分のディジタルビデオ信号を複数のトラックに割り当てて記録する記録方式で、トラック当たりの情報量の増加を未然に防止するために適用される。このセグメント記録では、複数の記録ヘッドがほぼ同時に複数トラックを形成するように回転ドラムを構成し、この回転ドラムを回転させて、１フィールド分のディジタルビデオ信号を複数トラックに記録する。
【０００４】
【特許文献１】
特開平５−３２５３２２号公報
【０００５】
【発明が解決しようとする課題】
ところで、セグメント記録されたトラックを再生する際に、トラックずれ量が大きくなると、再生ヘッドは、処理すべきセグメントと、このセグメントと隣接するセグメントのトラックを走査してしまう場合が生ずる。また、再生ヘッドによって読み出された再生データは、誤り訂正処理を行うためメモリに書き込まれて、誤り訂正符号例えば外符号パリティを用いた演算処理が行われる。
【０００６】
このため、処理すべきセグメントを走査して得られた再生データと、隣接セグメントを走査して得られた再生データがメモリに書き込まれて処理されると、外符号パリティを用いて演算処理を行ったとき、エラー発生となってしまう。
【０００７】
また、積符号を用いて誤り訂正を行う場合、内符号パリティを用いた誤り訂正で訂正能力を超えた誤りについてはポインタが付加される。このポインタは外符号パリティを用いた誤り訂正における誤り位置を示すものであり、ポインタを利用することで、外符号パリティを用いた誤り訂正の能力を向上させることができる。しかし、外符号パリティを用いた誤り訂正を行うためのメモリに、隣接セグメントの再生データが書き込まれてしまうと、ポインタを利用した誤り訂正を行うことができないだけでなく、外符号パリティを用いた誤り訂正が不能となってしまい、１つのトラックに対して複数の再生ヘッドを設けても、オフトラック余裕を十分確保できない場合が生じてしまう。
【０００８】
そこで、この発明では処理すべきセグメントを検出して、処理すべきセグメントの再生データに対する誤り訂正を正しく行うことでオフトラック余裕を十分確保できる記録信号再生装置および記録信号再生方法を提供するものである。
【０００９】
【課題を解決するための手段】
この発明に係る記録信号再生装置は、同時にトレースする複数トラックのトラック毎に、該トラックに対してトラック幅方向に位置をずらして設けられた複数の再生ヘッドと、セグメント記録されたトラックを前記複数の再生ヘッドでトレースして、前記複数の再生ヘッドで読み出された再生データ毎にセグメント識別情報を抽出し、該抽出されたセグメント識別情報から目的のセグメントを検出するセグメント検出手段と、前記再生データの誤り訂正を行う誤り訂正手段と、前記目的のセグメントと異なるセグメントの再生データを用いて、前記誤り訂正手段で誤り訂正が行われないように制御する訂正制御手段とを有するものである。
【００１０】
また、記録信号再生方法は、同時にトレースする複数トラックのトラック毎に、該トラックに対してトラック幅方向に位置をずらして複数の再生ヘッドを設け、セグメント記録されたトラックを前記複数の再生ヘッドでトレースし、前記複数の再生ヘッドで読み出された再生データ毎にセグメント識別情報を抽出して、該抽出されたセグメント識別情報から目的のセグメントを検出し、前記再生データに対して誤り訂正を行う際に、前記目的のセグメントと異なるセグメントの再生データを用いて、前記誤り訂正が行われないように制御するものである。
【００１１】
この発明においては、同時にトレースする複数トラックのトラック毎に、該トラックに対してトラック幅方向に位置をずらして複数の再生ヘッドが設けられて、セグメント記録されたトラックが複数の再生ヘッドでトレースされる。この複数の再生ヘッドで読み出された再生データ毎にセグメント識別情報が抽出されて、抽出されたセグメント識別情報がラッチされると共に、その後抽出されたセグメント識別情報との比較が再生データ毎に行われて、一致回数が所定回数に達したときにラッチしているセグメント識別情報で示されたセグメントが目的のセグメントとされる。また、不一致回数に応じて、ラッチしているセグメント識別情報の更新が行われる。さらに、再生データに対して優先順位が設定されると共に、複数の再生ヘッドの中央側に位置する再生ヘッドで読み出された再生データの優先順位が高く設定されて、一致回数が所定回数に達したセグメント識別情報が複数得られたときには優先順位に従って１つのセグメント識別情報を選択し、この選択されたセグメント識別情報で示されたセグメントが目的のセグメントとされる。さらに、この再生データに対して誤り訂正を行う際に、再生データのメモリへの書き込みや読み出しを制御して、目的のセグメントと異なるセグメントの再生データが誤り訂正に用いられないように制御される。
【００１２】
【発明の実施の形態】
以下、図を参照しながら、この発明の実施の一形態について説明する。図１は、この発明の記録信号再生装置で用いられるヘッドアセンブリ１０を示している。ヘッドアセンブリ１０では、１つのトラックＴＲＡに対して複数の再生ヘッドがトラック幅方向に位置をずらして設けられる。例えば、トラックＴＲＡに対して再生ヘッド１０−１と再生ヘッド１０−２が設けられると共に、再生ヘッド１０−２は、再生ヘッド１０−１に対してトラックＴＲＡの幅方向に位置をずらして設けられている。なお、ヘッドアセンブリ１０は、１つの再生ヘッド内に複数のヘッドギャップをトラック幅方向に位置をずらして形成するものとしても良く、以下の説明では、再生ヘッドを複数設けた場合について説明している。
【００１３】
再生ヘッド１０−１，１０−２におけるヘッドギャップのトラック幅Ｗｒは、トラックＴＲＡのトラック幅Ｗｔに比べて広く構成されている。再生ヘッド１０−１に対する再生ヘッド１０−２のトラック幅方向のずれ量は、再生ヘッド１０−１のトレース位置がトラック幅方向に位置ずれを生じて、トラックＴＲＡの信号を正しく再生できなくなっても、再生ヘッド１０−２によってトラックＴＲＡをトレースして、トラックＴＲＡの信号を正しく再生できるように設定する。
【００１４】
図２は、再生ヘッドの出力レベルとオフトラック量の関係を示している。ここで、説明を簡単とするため、図２Ｂに示すように再生ヘッド１０−１の中心とトラックＴＲＡの中心が等しいときの位置をオフトラック量「０」と仮定する。
【００１５】
オフトラック量が「０」であるとき、再生ヘッド１０−１の出力レベルは、図２Ａに示すようにレベルＬ１となる。ここで、トラックＴＲＡの位置が再生ヘッド１０−１に対して矢印ａ方向に位置ずれを生じて、図２Ｃに示すオフトラック量ＰＥ１よりも大きくなると、トラックＴＲＡが再生ヘッド１０−１から外れてしまうため、図２Ａに示すように、オフトラック量の増加に伴い、再生ヘッド１０−１の出力レベルが低下する。同様に、トラックＴＲＡの位置が再生ヘッド１０−１に対して矢印ａ方向とは逆方向である矢印ｂ方向に位置ずれを生じて、図２Ｄに示すオフトラック量ＰＥ１よりも大きくなると、トラックＴＲＡが再生ヘッド１０−１から外れてしまうため、図２Ａに示すように、オフトラック量の増加に伴い、再生ヘッド１０−１の出力レベルが低下する。
【００１６】
次に、図２Ｅに示すようにオフトラック量がＰＥ２となって、再生ヘッド１０−１にかかるトラック幅と再生ヘッド１０−２にかかるトラック幅が略等しくなると、再生ヘッド１０−１，１０−２の出力特性が等しいとき、図２Ａに示すように出力レベルが等しくなる。
【００１７】
トラックＴＲＡが更に矢印ｂ方向に移動して、図２Ｆに示すオフトラック量がＰＥ３よりも大きくなると、トラックＴＲＡが再生ヘッド１０−２から外れることとなるため、図２Ａに示すように、オフトラック量の増加に伴い、再生ヘッド１０−２の出力レベルが低下する。
【００１８】
このため、例えば出力レベルが「Ｌ２」よりも大きくなるオフトラック範囲をオフトラック余裕としたとき、再生ヘッド１０−１とトラック幅方向に位置をずらした再生ヘッド１０−２を設けるものとして、目的のトラックを再生しているときの出力レベルが「Ｌ２」よりも大きくなる再生ヘッドを、トレース状態が適正な再生ヘッドとして、この再生ヘッドで得られた信号を選択して用いる。このときのオフセット余裕は「Ｑｄ」となり、１つの再生ヘッドを用いるときのオフトラック余裕「Ｑｓ」よりも、オフセット余裕を広げることができる。
【００１９】
また、図２Ｅに示すように、再生ヘッド１０−１と再生ヘッド１０−２のそれぞれにかかるトラック幅が略等しくなったときの出力レベルがレベル「Ｌ２」となるように再生ヘッドの位置ずらし量を設定すれば、オフトラック余裕を最大に設定することも可能となる。また、再生ヘッド１０−１と再生ヘッド１０−２のそれぞれにかかるトラック幅が略等しくなる位置をオフトラック量「０」とすることで、トラックＴＲＡの矢印ａ方向の位置ずれに対するオフトラック余裕と矢印ｂ方向の位置ずれに対するオフトラック余裕をほぼ等しくすることができる。
【００２０】
図３は、再生ヘッド１０−１と再生ヘッド１０−２でトラックＴＲＡを再生したときのトラック再生状態を示しており、図３Ａは、トラックＴＲＡと再生ヘッド１０−１，１０−２を模式的に示したものである。このように曲がりを生じたトラックＴＲＡを再生ヘッド１０−１で再生したとき、再生ヘッド１０−１の出力レベルは、図３Ｂに示すものとなる。すなわち、再生ヘッド１０−１の出力レベルは、トレースされるトラックＴＲＡの幅に応じたレベルとなる。また、トラックＴＲＡを再生ヘッド１０−２で再生したとき、再生ヘッド１０−２の出力レベルは、図３Ｃに示すものとなる。すなわち、再生ヘッド１０−２の出力レベルは、トレースされるトラックＴＲＡの幅に応じたレベルとなる。このため、再生ヘッド１０−１，１０−２の出力レベルに基づいて、トラックＴＲＡのトレース状態が適正な再生ヘッドを判別し、この適正な再生ヘッドと判別された再生ヘッドで得られた再生信号を順次選択することで、オフトラック余裕の広い記録信号再生装置を得ることができる。
【００２１】
ここで、複数の再生ヘッドでトレースされるトラックは、記録媒体の駆動方向に形成されたトラック例えば磁気テープの長手方向に形成されたトラック、あるいは駆動方向に対して傾斜して形成されたトラック例えばビデオテープレコーダのようにヘリカルスキャン方式で磁気テープに形成された傾斜トラック等であっても良い。
【００２２】
図４は、この発明に係る記録信号再生装置をビデオテープレコーダに適用した場合の構成を示している。
【００２３】
ディジタルの記録ビデオ信号ＤＶｗは、ビデオ圧縮器２０で例えばＭＰＥＧ（Ｍｏｖｉｎｇ  Ｐｉｃｔｕｒｅ  Ｅｘｐｅｒｔｓ  Ｇｒｏｕｐ）方式で圧縮されて、符号化データＤＰｗとしてパリティ付加器２５に供給される。
【００２４】
パリティ付加器２５は、符号化データＤＰｗに対して誤り訂正符号を生成して付加する。例えば、符号長が「Ｎｃ」，情報数が「ＫＮｃ」のリード・ソロモン符号を内符号パリティＣ１として生成すると共に、符号長が「Ｍｃ」，情報数が「ＫＭｃ」のリード・ソロモン符号を外符号パリティＣ２として生成するとき、符号化データＤＰｗをメモリ（図示せず）の水平方向に符号長「ＫＮｃ」分だけ書き込み、符号長「ＫＮｃ」分の書き込みが行われる毎に、書き込み位置を垂直方向に移動させて、水平方向が符号長「ＫＮｃ」分，垂直方向が符号長「ＫＭｃ」分のデータ書き込みを行う。その後、メモリのデータを垂直方向に順次読み出して外符号パリティＣ２を算出する。次に、メモリのデータを水平方向に順次読み出して内符号パリティＣ１を算出する。また、垂直方向毎に生成されている情報数「ＫＭｃ」の外符号パリティＣ２を水平方向に読み出して外符号パリティＣ２に対する内符号パリティＣ１を生成する。このようにして生成した内符号パリティＣ１，外符号パリティを符号化データＤＰｗに付加して、符号化データＤＱｗを１回のトレースで記録するトラック毎に生成する。
【００２５】
記録部３０は、パリティ付加器２５で生成されたトラック毎の符号化データＤＱｗにそれぞれ同期符号や識別符号を付加して、記録データＷＤをトラック毎に生成する。さらに、記録データＷＤのチャネルコーディングを行い、得られた信号を記録電流ＷＳに変換して、回転ドラムに搭載された記録ヘッドに供給する。例えば、記録ヘッド３５−１〜３５−４は１つの組とされて、１回のトレースで図５に示す４本のトラックＴＲＡ〜ＴＲＤを形成するとき、記録電流ＷＳ−１〜ＷＳ−４を生成して記録ヘッド３５−１〜３５−４に供給する。なお、図５では、後述する再生ヘッド５０ａ−１や再生ヘッド５０ｂ−１が隣接セグメントをトレースしたとき、および再生ヘッド５０ｃ−２や再生ヘッド５０ｄ−２が隣接セグメントをトレースしたときのヘッド位置を例示している。
【００２６】
また、３回のトレースを行って１２本のトラックＴＲＡ−１〜ＴＲＤ−３を形成して１セグメントとして、例えば１フィール分の映像信号をセグメント記録する。なお、トラックＴＲＡ〜ＴＲＤは、隣接するトラックと所定のアジマス角を有するように記録されている。
【００２７】
図６は、１つのトラックのパターンを説明するための図である。トラックには、図６Ａに示すように、映像データを記録する映像セクタと音声データを記録する音声セクタが設けられている。なお、図６Ａでは映像セクタの間に音声セクタが設けられた場合を示しているが、音声セクタの間に映像セクタを設けるものとしても良い。また、映像セクタと音声セクタの間や音声セクタ間にエディットギャップを設けて、映像や音声の編集の際に独立してデータを書き換え可能とするものであってもよい。
【００２８】
図６Ｂは、記録データＷＤの構成を示している。Ｍｃ×Ｎｃバイト分の符号化データＤＰｗには、Ｍｃバイトの符号化データＤＰｗ毎に算出された外符号パリティＣ２が付加される。また、Ｎｃバイトの符号化データＤＰｗあるいは外符号パリティＣ２毎に算出された内符号パリティＣ１が付加されて符号化データＤＱｗが生成される。このＮｃバイトの符号化データＤＰｗと算出された内符号パリティＣ１からなる符号化データＤＱｗ毎に同期符号と識別符号を付加して、あるいはＮｃバイトの外符号パリティＣ２と算出された内符号パリティＣ１からなる符号化データＤＱｗ毎に同期符号と識別符号を付加して、１シンクブロックの記録データとする。このシンクブロック単位の記録データに基づいた記録電流ＷＳを記録ヘッド３５−１（３５−２〜３５−４）に供給して磁気テープ４０に対する記録を行い、映像セクタを構成する。ここで、識別符号は、個々のトラックを判別可能とするために設定されたトラック識別情報ＴＩＤや、トラックがいずれのセグメントに属しているかを判別可能とするために設定されたセグメント識別情報ＳＩＤ等からなるものである。なお、図示せずも映像セクタと同様にして音声セクタを構成できる。
【００２９】
磁気テープ４０に記録されている信号は、ヘッドアセンブリ５０の再生ヘッドによって読み出される。ここで、再生ヘッドは、上述したように１のトラックに対して例えば２つの再生ヘッドがトラックの幅方向に位置をずらして設けられる。このため、１回のトレースで４本のトラックＴＲＡ〜ＴＲＤを再生するときには、合計８個の再生ヘッド５０ａ−１，５０ａ−２，５０ｂ−１，５０ｂ−２，５０ｃ−１，５０ｃ−２，５０ｄ−１，５０ｄ−２が設けられる。
【００３０】
再生ヘッド５０ａ−１で得られた再生信号ＲＳａ−１は、復号回路６１ａ−１に供給される。復号回路６１ａ−１では、再生信号ＲＳａ−１の振幅や位相を調整して波形整形を行い、さらに記録部３０で行われるチャネルコーディングに対応した復号処理を行って再生データＲＤａ−１を生成する。この再生データＲＤａ−１は、Ｃ１訂正器６２ａ−１に供給される。
【００３１】
同様に、再生ヘッド５０ａ−２〜５０ｄ−２で得られた再生信号ＲＳａ−２〜ＲＳｄ−２は、復号回路６１ａ−２〜６１ｄ−２に供給される。復号回路６１ａ−２〜６１ｄ−２は、復号回路６１ａ−１と同様に、再生信号ＲＳａ−２〜ＲＳｄ−２の振幅や位相を調整して波形整形を行い、さらに復号処理を行って再生データＲＤａ−２〜ＲＤｄ−２を生成する。この再生データＲＤａ−２〜ＲＤｄ−２は、Ｃ１訂正器６２ａ−２〜６２ｄ−２に供給される。
【００３２】
Ｃ１訂正器６２ａ−１は、再生データＲＤａ−１を構成する符号化データＤＱｒａ−１に含まれた内符号パリティＣ１を用いて誤り訂正を行い、この誤り訂正が行われた再生データＲＤａ−１を再生データＲＥａ−１としてＣ２訂正器７０に供給する。
【００３３】
Ｃ１訂正器６２ａ−２〜６２ｄ−２もＣ１訂正器６２ａ−１と同様に、再生データＲＤａ−２〜ＲＤｄ−２を構成する符号化データＤＱｒａ−２〜ＤＱｒｄ−２に含まれている内符号パリティＣ１を用いて符号化データＤＱｒａ−２〜ＤＱｒｄ−２の誤り訂正を行う。また、誤り訂正が行われた再生データＲＤａ−２〜ＲＤｄ−２を再生データＲＥａ−２〜ＲＥｄ−２としてＣ２訂正器７０に供給する。
【００３４】
図７はＣ２訂正器７０の構成を示している。Ｃ１訂正器６２ａ−１から供給された再生データＲＥａ−１は、セグメント検出部７１と訂正制御部７２の書込制御回路７２１ａ−１に供給される。また、Ｃ１訂正器６２ａ−２〜６２ｂ−２から供給された再生データＲＥａ−２〜ＲＥｂ−２は、セグメント検出部７１と訂正制御部７２の書込制御回路７２１ａ−２〜７２１ｂ−２にそれぞれ供給される。さらに、Ｃ１訂正器６２ｃ−１〜６２ｄ−２から供給された再生データＲＥｃ−１〜ＲＥｄ−２は、書込制御回路７２１ｃ−１〜７２１ｄ−２にそれぞれ供給される。
【００３５】
セグメント検出部７１では、複数の再生ヘッドで読み出された再生データである再生データＲＥａ−１〜ＲＥｂ−２を用いて目的のセグメントを検出し、書込制御回路７２１ａ−１〜７２１ｄ−２に供給する。
【００３６】
図８はセグメント検出部７１の構成を示している。セグメント検出部７１は、再生データＲＥａ−１に対するセグメント判定回路７１０ａ−１を有している。また再生データＲＥａ−１と同様に、再生データＲＥａ−２〜ＲＥｂ−２に対するセグメント判定回路７１０ａ−２〜７１０ｂ−２を有している。
【００３７】
このセグメント判定回路７１０ａ−２〜７１０ｂ−２は、セグメント判定回路７１０ａ−１と同様に構成されるものである。ここでは、セグメント判定回路７１０ａ−１についてのみ説明を行い、セグメント判定回路７１０ａ−２〜７１０ｂ−２についての説明は省略する。
【００３８】
再生データＲＥａ−１は、ラッチ回路７１１と比較器７１２に供給される。ラッチ回路７１１は、論理ゲートを用いて構成されたラッチ制御回路７１５から供給されたラッチ制御信号ＳＬに基づき、再生データＲＥａ−１に含まれているセグメント識別情報ＳＩＤａ−１のラッチを行う。このラッチ回路７１１ａ−１でラッチされたセグメント識別情報ＳＩＤＬａ−１は比較器７１２と切換回路７１７の端子ａに供給される。
【００３９】
比較器７１２では、ラッチ回路７１１から供給されたセグメント識別情報ＳＩＤＬａ−１と、再生データＲＤａ−１に含まれているセグメント識別情報ＳＩＤａ−１が一致するか否かを判別して、一致するときにはカウントアップ信号ＣＮｕを生成してカウンタ７１３に供給する。また、セグメント識別情報が一致しないときには、カウントダウン信号ＣＮｄを生成してカウンタ７１３とラッチ制御回路７１５に供給する。
【００４０】
カウンタ７１３は、カウントアップ信号ＣＮｕが供給される毎にカウント値を増加させる。またカウントダウン信号ＣＮｄが供給される毎にカウント値を減少させる。このカウンタ７１３で得られたカウント値ＮＣは、下限判別回路７１４とカウント値比較回路７１６に供給される。
【００４１】
下限判別回路７１４は、カウント値ＮＣが予め設定した下限値（例えば「０」）となったか否かを判別して、カウンタ値が下限値となったときには、下限通知信号ＭＬをラッチ制御回路７１５に供給する。
【００４２】
ラッチ制御回路７１５は、下限通知信号ＭＬによって、カウント値ＮＣが下限値となったことが示されると共に、カウントダウン信号ＣＮｄが供給されてラッチしているセグメント識別情報ＳＩＤＬａ−１と再生データＲＥａ−１に含まれているセグメント識別情報ＳＩＤａ−１が一致しないことが通知されたとき、ラッチ回路７１１にラッチされているセグメント識別情報ＳＩＤＬａ−１の更新タイミングであるとして、ラッチ制御信号ＳＬをラッチ回路７１１に供給する。このラッチ制御信号ＳＬをラッチ回路７１１に供給することで、ラッチ回路７１１にラッチされているセグメント識別情報ＳＩＤＬａ−１を更新させる。
【００４３】
なお、セグメント識別情報ＳＩＤＬａ−１の更新は、上述のように不一致回数に応じてカウント値ＮＣをカウントダウンして下限値となり、さらに不一致が生じたときに限られるものではない。例えば、不一致回数や連続した不一致の回数がしきい値に達したとき等に更新することもできる。
【００４４】
カウント値比較回路７１６は、カウント値ＮＣと予め設定した所定値を比較して、比較結果に基づき切換制御信号ＳＣａ−１を生成して、セグメント検出部７１に供給された再生データ毎に設けられた切換回路７１７ａ−１に供給する。ここで、カウント値ＮＣが予め設定した所定値よりも大きくなったときには、切換制御信号ＳＣａ−１によって切換回路７１７ａ−１の可動端子ｃを端子ａ側に設定し、ラッチ回路７１１にラッチされているセグメント識別情報ＳＩＤＬａ−１を選択させる。すなわち、シンクブロック単位で信号が記録されているときには、セグメント識別情報が一致するシンクブロックの数が所定ブロック数となったとき、ラッチされているセグメント識別情報ＳＩＤＬａ−１が可動端子ｃから出力される。また、カウント値ＮＣが予め設定した所定値よりも大きくないときには、切換回路７１７ａ−１の可動端子ｃを端子ｂ側に設定し、セグメントエラー信号を選択させる。
【００４５】
同様に、セグメント判定回路７１０ａ−２〜７１０ｂ−２でも、各再生データＲＥａ−２〜ＲＥｂ−２を用いて、比較結果に基づき切換制御信号ＳＣａ−２，ＳＣｂ−１，ＳＣｂ−２やラッチされているセグメント識別情報ＳＩＤＬａ−２，ＳＩＤＬｂ−１，ＳＩＤＬｂ−２を切換回路７１７ａ−２〜７１７ｂ−２の端子ａに供給する。
【００４６】
セグメント検出部７１は、再生データに対して、正しくセグメントを検出できるように優先順位を設定する。ここで、複数の再生ヘッドのうち、外側に位置する再生ヘッドは中央側に位置する再生ヘッドよりも他のセグメントをトレースしやすい。このため、中央側に位置する再生ヘッドで読み出された再生データの優先順位を高くして、一致回数が所定回数に達したセグメント識別情報が複数得られたときには優先順位に従って１つのセグメント識別情報を選択する。さらに、選択したセグメント識別情報ＳＩＤｇで示されたセグメントを目的のセグメントとする。例えば、優先順位を再生データＲＥｂ−２，ＲＥａ−２，ＲＥｂ−１，ＲＥａ−１の順に設定して、再生データＲＥｂ−２に基づいて検出されたセグメント識別情報ＳＩＤＬｂ−２が最も優先されるように、切換回路７１７ａ−１，７１７ａ−２，７１７ｂ−１，７１７ｂ−２を図８に示すように接続してセグメント識別情報の選択を行う。
【００４７】
切換回路７１７ａ−１の可動端子ｃは切換回路７１７ｂ−１の端子ｂに接続する。また、切換回路７１７ｂ−１の可動端子ｃは切換回路７１７ａ−２の端子ｂに接続し、切換回路７１７ａ−２の可動端子ｃは切換回路７１７ｂ−２の端子ｂに接続する。このように切換回路７１７ａ−１〜７１７ｂ−２を接続すると、再生データＲＥａ−１に基づいて検出されたセグメント識別情報ＳＩＤＬａ−１が切換回路７１７ａ−１の可動端子ｃから出力されても、再生データＲＥｂ−１に基づいてセグメント識別情報ＳＩＤＬｂ−１が検出されたときには、セグメント識別情報ＳＩＤＬｂ−１が切換回路７１７ｂ−１の可動端子ｃから出力される。同様に、再生データＲＥｂ−１に基づいて検出されたセグメント識別情報ＳＩＤＬｂ−１が切換回路７１７ｂ−１の可動端子ｃから出力されても、再生データＲＥａ−２に基づいてセグメント識別情報ＳＩＤＬａ−２が検出されたときには、セグメント識別情報ＳＩＤＬａ−２が切換回路７１７ａ−２の可動端子ｃから出力される。さらに、再生データＲＥｂ−２に基づいてセグメント識別情報ＳＩＤＬｂ−２が検出されたときには、セグメント識別情報ＳＩＤＬｂ−２が切換回路７１７ｂ−２の可動端子ｃから出力される。
【００４８】
この切換回路７１７ｂ−２の可動端子ｃは、書込制御回路７２１ａ−１〜７２１ｄ−２と接続されており、セグメント検出部７１で検出された目的のセグメントを示すセグメント識別情報ＳＩＤｇがセグメント検出部７１から出力される。なお、一致回数が所定回数に達したセグメント識別情報が得られるまでは、セグメントエラー信号が出力されることとなる。
【００４９】
このように、ラッチしたセグメント識別情報とその後抽出されたセグメント識別情報との一致回数が所定回数に達したときにラッチしているセグメント識別情報で示されたセグメントが目的のセグメントとされるので、目的のセグメントと異なるセグメントのシンクブロックが一部再生されても、目的のセグメントを正しく検出できる。さらに、不一致回数に応じて、ラッチしているセグメント識別情報の更新が行われるので、目的のセグメントと異なるセグメントのシンクブロックのセグメント識別情報がラッチされても、その後セグメント識別情報の更新が行われて、目的のセグメントのセグメント識別情報がラッチされるので、目的のセグメントを正しく検出できる。
【００５０】
また、複数の再生ヘッドの中央側に位置する再生ヘッドで読み出された再生データの優先順位が高く設定されて、一致回数が所定回数に達したセグメント識別情報が複数得られたときには優先順位に従って１つのセグメント識別情報が選択されるので、より正しく目的のセグメントを検出できる。
【００５１】
訂正制御部７２は、目的のセグメントと異なるセグメントの信号を用いて、後述するＣ２訂正処理部７３で誤り訂正が行われないように制御する。例えば、書込制御回路７２１ａ−１〜７２１ｄ−２は、再生データＲＥａ−１〜ＲＥｄ−２からセグメント識別情報を検出して、セグメント検出部７１から供給されたセグメント識別情報ＳＩＤｇと比較し、セグメント識別情報が不一致であるシンクブロックの符号化データＤＱｒａ−１〜ＤＱｒｄ−２や符号化データ毎の外符号パリティＣ２は、メモリ７２２に書き込まないように制御する。
【００５２】
メモリ７２２には、読出制御回路７２３が接続されており、メモリ７２２に書き込まれた符号化データＤＱｒａ−１〜ＤＱｒｄ−２と符号化データ毎の外符号パリティＣ２を、外符号パリティＣ２を用いた誤り訂正処理に応じた順序で読み出してＣ２訂正処理部７３に供給する。
【００５３】
なお、訂正制御部７２は、シンクブロックの符号化データＤＱｒａ−１〜ＤＱｒｄ−２や符号化データ毎の外符号パリティＣ２とセグメント識別情報を対応させてメモリ７２２に書き込み、目的のセグメントのセグメント識別情報と一致するセグメント識別情報に対応した符号化データＤＱｒａ−１〜ＤＱｒｄ−２や外符号パリティＣ２を読み出せば、目的のセグメントの信号をＣ２訂正処理部７３に供給できる。
【００５４】
Ｃ２訂正処理部７３は、訂正制御部７２から供給された符号化データＤＱｒａ−１〜ＤＱｒｄ−２と外符号パリティＣ２を用いて誤り訂正を行う。さらに、訂正後の符号化データを用いて、ビデオ圧縮器２０で生成した符号化データＤＰｗに対応した符号化データＤＰｒを生成してビデオ伸長器７５に供給する。
【００５５】
また、図示せずも、Ｃ２訂正器７０では、１つのトラックに対して設けられた複数の再生ヘッドで読み出された再生データから、目的のトラックのトレース状態が適正な再生ヘッドで読み出された再生データを選択してメモリ７２２に書き込むものとすることで、オフトラック余裕を十分確保できると共に、メモリ７２２の容量を少なくできる。ここで、目的のトラックのトレース状態が適正な再生ヘッドで読み出された再生データの選択は、再生ヘッドの出力レベルやＣ１訂正器の誤り訂正結果、トラック識別情報等を用いて行う。例えば、１つのトラックに対して設けられた再生ヘッド５０ａ−１，５０ａ−２において、再生ヘッド５０ａ−１の出力レベルが再生ヘッド５０ａ−１の出力レベルよりも大きい場合、また再生ヘッド５０ａ−１側の再生データＲＤａ−１の誤り訂正が不能で、再生ヘッド５０ａ−２側の再生データＲＤａ−２の誤り訂正が可能である場合、再生ヘッド５０ａ−１側の再生データＲＥａ−１で示されたトラック識別情報が目的のトラックを示しておらず、再生ヘッド５０ａ−２側の再生データＲＥａ−２で示されたトラック識別情報が目的のトラックであることを示している場合、このような場合には、トレース状態が適正な再生ヘッドから読み出された再生データとして再生データ５０ａ−２を選択して、この再生データＲＥａ−２をメモリ７２２に書き込むものとする。また、再生データＲＥｂ−１，ＲＥｂ−２，ＲＥｃ−１，ＲＥｃ−２，ＲＥｄ−１，ＲＥｄ−２に対しても同様に処理する。
【００５６】
このように処理することで、１つのトラックに対して設けられた複数の再生ヘッドで読み出された再生データをメモリ７２２に書き込まなくとも、各トラックを最適にトレースして得られた再生データに対して外符号パリティＣ２を用いた誤り訂正を行うことができる。
【００５７】
ビデオ伸長器７５は、Ｃ２訂正器７０から供給された誤り訂正後の符号化データＤＰｒに対して復号化を行い、ディジタルの再生ビデオ信号ＤＶｒとして出力する。
【００５８】
このように、各トラックに対して複数の再生ヘッドがトラック幅方向に位置をずらして設けられると共に、複数の再生ヘッドで得られた信号に基づき目的のセグメントが検出されて、誤り訂正を行う際に目的のセグメントと異なるセグメントの信号が用いられることがないよう制御される。このため、オフトラック余裕を十分確保できると共に、図５に示すように隣接セグメントのトラックがトレースされても、隣接セグメントの信号が用いられて誤り訂正能力が低下してしまうことを防止できる。
【００５９】
また、上述の実施の形態では、再生データＲＥａ−１，ＲＥａ−２，ＲＥｂ−１，ＲＥｂ−２を用いて目的のセグメントを検出するものとしたが、再生データＲＥｃ−１，ＲＥｃ−２，ＲＥｄ−１，ＲＥｄ−２を用いても目的のセグメントを検出できる。この場合、再生データＲＥｄ−２，ＲＥｃ−２，ＲＥｄ−１，ＲＥｃ−１の順で優先度を高くする。また、中央側に位置する再生ヘッド５０ｂ−２，５０ａ−２，５０ｃ−１，５０ｄ−１で得られた再生データを用いても目的のセグメントを検出できる。
【００６０】
さらに、上述の再生ヘッド５０ａ−１，５０ａ−２，５０ｂ−１，５０ｂ−２，５０ｃ−１，５０ｃ−２，５０ｄ−１，５０ｄ−２からなるヘッドアセンブリを、圧電素子などのアクチュエータを介して回転ドラムに取り付けて、所謂ダイナミックトラッキングヘッド（ＤＴヘッド）を構成し、再生ヘッドのオフトラック量に応じてアクチュエータを駆動して、目的のトラックをトレースできるようにヘッドアセンブリをトラックの幅方向に駆動するように構成する。この場合には、ノイズレスの特殊再生機能を維持しながら、オフトラック余裕を拡大することが可能となり、狭トラックピッチ化が図られてもセグメント検出を正しく行うことができる。
【００６１】
【発明の効果】
この発明によれば、同時にトレースする複数トラックのトラック毎に、該トラックに対してトラック幅方向に位置をずらして複数の再生ヘッドが設けられて、セグメント記録されたトラックが複数の再生ヘッドでトレースされる。この複数の再生ヘッドで読み出された再生データ毎にセグメント識別情報が抽出される。該抽出されたセグメント識別情報から目的のセグメントが検出されて、再生データに対して誤り訂正を行う際に、目的のセグメントと異なるセグメントの再生データを用いて、誤り訂正が行われないように制御される。このため、オフトラック余裕を十分確保できると共に、誤り訂正能力の低下を防止できる。
【００６２】
また、抽出したセグメント識別情報をラッチして、その後抽出されたセグメント識別情報との比較を再生データ毎に行い、一致回数が所定回数に達したときにラッチしているセグメント識別情報で示されたセグメントが目的のセグメントとされる。このため、目的のセグメントと異なるセグメントのデータが一部含まれても、目的のセグメントを正しく検出することができる。さらに、不一致回数に応じて、ラッチしているセグメント識別情報の更新が行われるので、目的のセグメントと異なるセグメントのセグメント識別情報がラッチされても、その後セグメント識別情報の更新が行われて、目的のセグメントを正しく検出することができる。
【００６３】
また、再生データに対して優先順位を設定し、一致回数が所定回数に達したセグメント識別情報が複数得られたときには優先順位に従って１つのセグメント識別情報が選択されて、この選択されたセグメント識別情報で示されたセグメントが目的のセグメントとされる。さらに、優先順位は、複数の再生ヘッドの中央側に位置する再生ヘッドで読み出された再生データが高くされるので、目的のセグメントをより正しく検出できる。
【００６４】
さらに、再生データのメモリへの書き込みや読み出しを制御して、目的のセグメントと異なるセグメントの再生データが誤り訂正に用いられないように制御されるので、誤り訂正能力の低下を容易に防止できる。
【図面の簡単な説明】
【図１】ヘッドアセンブリの構成を示す図である。
【図２】再生ヘッドの出力レベルとオフトラック量の関係を示す図である。
【図３】トラック再生状態を説明するための図である。
【図４】ビデオテープレコーダの構成を示す図である。
【図５】セグメント構成を示す図である。
【図６】トラックのパターンを説明するための図である。
【図７】Ｃ２訂正器の構成を示す図である。
【図８】セグメント検出部の構成を示す図である。
【符号の説明】
１０，５０・・・ヘッドアセンブリ、１０−１，１０−２，５０ａ−１，５０ａ−２，５０ｂ−１，５０ｂ−２，５０ｃ−１，５０ｃ−２，５０ｄ−１，５０ｄ−２・・・再生ヘッド、２０・・・ビデオ圧縮器、２５・・・パリティ付加器、３０・・・記録部、３５−１，３５−２，３５−３，３５−４・・・記録ヘッド、４０・・・磁気テープ、６１ａ−１〜６１ｄ−２・・・復号回路、６２ａ−１〜６１ｄ−２・・・Ｃ１訂正器、７０・・・Ｃ２訂正器、７１・・・セグメント検出部、７２・・・訂正制御部、７３・・・Ｃ２訂正処理部、７５・・・ビデオ伸長器、７１０ａ−１〜７１０ｂ−２・・・セグメント判定回路、７１１・・・ラッチ回路、７１２・・・比較回路、７１３・・・カウンタ、７１４・・・下限判定回路、７１５・・・ラッチ制御回路、７１６・・・カウント値比較回路、７１７ａ−１〜７１７ｂ−２・・・切換回路、７２１ａ−１〜７２１ｄ−２・・・書込制御回路、７２２・・・メモリ、７２３・・・読出制御回路
【図１】
2004310868.tif 000003
【図２】
2004310868.tif 000004
【図３】
2004310868.tif 000005
【図４】
2004310868.tif 000006
【図５】
2004310868.tif 000007
【図６】
2004310868.tif 000008
【図７】
2004310868.tif 000009
【図８】
2004310868.tif 000010